(57)【要約】【課題】暗がりの中での操作性の向上を実現することができるとともに、汎用性が高い電子機器を得る。【解決手段】電子機器１は、表示画面１１ａに画像を表示する発光機能を備えた表示装置１１と、使用時に表示装置１１よりも手前側に位置するキーボード６と、表示装置１１を制御する制御部とを具備する。上記制御部は、表示画面１１ａの全域にデスクトップ画面を表示する第１の表示モードと、表示画面１１ａの一部のみにデスクトップ画面を表示するとともに、表示画面１１ａの残りの部分をデスクトップ画面の内容如何に拘わらず一定の明るさで発光させる第２の表示モードとを表示装置１１に選択的に実現させる。【選択図】      図１
2009157835.tif 000002
【特許請求の範囲】
【請求項１】
表示画面と、この表示画面に画像を表示する発光機能とを備えた表示装置と、
使用時に上記表示装置よりも手前側に位置するキーボードと、
上記表示装置を制御する制御部と、を具備し、
上記制御部は、上記表示画面の全域にデスクトップ画面を表示する第１の表示モードと、上記表示画面の一部のみに上記デスクトップ画面を表示するとともに、上記表示画面の残りの部分を上記デスクトップ画面の内容如何に拘わらず一定の明るさで発光させる第２の表示モードとを上記表示装置に選択的に実現させることを特徴とする電子機器。
【請求項２】
請求項１に記載の電子機器において、
上記表示画面は、四つの稜部を有する矩形状に形成されており、
上記制御部は、上記第２の表示モードにおいて、上記デスクトップ画面が表示される操作画面域と、上記デスクトップ画面の内容如何に拘わらず一定の明るさで発光する照明領域とを上記表示画面に形成するとともに、上記照明領域を上記表示画面の少なくとも一つの稜部に沿って配置することを特徴とする電子機器。
【請求項３】
請求項２に記載の電子機器において、
上記制御部は、上記第２の表示モードにおいて、上記表示画面の少なくとも互いに隣り合う二つの稜部に沿って上記照明領域を形成するとともに、上記第１の表示モードにおける上記デスクトップ画面の縦横比を維持したまま、上記デスクトップ画面を縮小して上記第２の表示モードの操作画面域に表示することを特徴とする電子機器。
【請求項４】
請求項２に記載の電子機器において、
上記制御部は、上記第２の表示モードにおいて、上記表示画面の一つの稜部に沿って上記照明領域を形成するとともに、上記第１の表示モードにおける上記デスクトップ画面の縦横比を維持することなく、上記デスクトップ画面を上記第２の表示モードの操作画面域に表示することを特徴とする電子機器。
【請求項５】
表示画面と、この表示画面に画像を表示する発光機能とを備えた表示装置と、
使用時に上記表示装置よりも手前側に位置するキーボードと、を備えたコンピュータに適用されるプログラムであって、
上記表示画面の全域にデスクトップ画面を表示する第１の表示モードと、上記表示画面の一部のみに上記デスクトップ画面を表示するとともに、上記表示画面の残りの部分を上記デスクトップ画面の内容如何に拘わらず一定の明るさで発光させる第２の表示モードとを上記表示装置に選択的に実現させるように上記表示装置を制御する機能を
上記コンピュータに実現させることを特徴とするプログラム。
【請求項６】
請求項５に記載のプログラムにおいて、
上記表示画面は、四つの稜部を有する矩形状に形成されており、
上記制御においては、上記第２の表示モードにおいて、上記デスクトップ画面が表示される操作画面域と、上記デスクトップ画面の内容如何に拘わらず一定の明るさで発光する照明領域とを上記表示画面に形成するとともに、上記照明領域を上記表示画面の少なくとも一つの稜部に沿って配置するように上記表示装置を制御することを特徴とするプログラム。
【請求項７】
請求項６に記載のプログラムにおいて、
上記制御においては、上記第２の表示モードにおいて、上記表示画面の少なくとも互いに隣り合う二つの稜部に沿って上記照明領域を形成するとともに、上記第１の表示モードにおける上記デスクトップ画面の縦横比を維持したまま、上記デスクトップ画面を縮小して上記第２の表示モードの操作画面域に表示するように上記表示装置を制御することを特徴とするプログラム。
【請求項８】
請求項６に記載のプログラムにおいて、
上記制御においては、上記第２の表示モードにおいて、上記表示画面の一つの稜部に沿って上記照明領域を形成するとともに、上記第１の表示モードにおける上記デスクトップ画面の縦横比を維持することなく、上記デスクトップ画面を上記第２の表示モードの操作画面域に表示するように上記表示装置を制御することを特徴とするプログラム。
【発明の詳細な説明】
【技術分野】
【０００１】
本発明は、表示装置を備えた電子機器、およびこの電子機器に適用されるプログラムに関する。
【背景技術】
【０００２】
ポータブルコンピュータのような電子機器は、十分な明るさが得られない場所で使用されることもある。このような場合、キーボードのキー位置やキーに印刷された文字などが見づらく、操作性が低下することがある。
【０００３】
電子機器のなかには、十分な明るさが得られない場所でも使用できるように、キーボードの視認性が改善されたものがある。特許文献１には、表示装置の背面照明光を表示画面以外から取り出して、その光でキーボードを照らす情報処理装置が開示されている。
【０００４】
この情報処理装置は、表示装置を収容するケースの前面下部に開口部を備え、この開口部を通じて表示装置の背面照明光を表示画面以外から取り出す。この表示装置は、背面照明光の光源である冷陰極管を画面下部の長尺方向に位置させ、上記開口部に対向させている。
【特許文献１】実開平６−３０８２６号公報
【発明の開示】
【発明が解決しようとする課題】
【０００５】
上記特許文献１に記載の情報処理装置では、表示装置の背面照明光を取り出すために、特別な開口部を必要とする。すなわちこの情報処理装置は、暗がりの中での操作性の向上を図るために特別な構造を必要としている。
【０００６】
このような特別な構造は、電子機器が暗がりの中で使用されるときには有益に機能するものの、十分な明るさが得られる場所で使用される場合にはその機能を発揮せず、余計な構造となる。すなわち上記情報処理装置は、暗がりの中で多く使用される特殊な電子機器としては有効であるが、十分な明るさが得られる場所で多く使用される一般的な電子機器としては汎用性があまり高くなく、改善の余地があるといえる。
【０００７】
本発明の目的は、暗がりの中での操作性の向上を実現することができるとともに、汎用性が高い電子機器を得ることにある。
【課題を解決するための手段】
【０００８】
本発明の一つの形態に係る電子機器は、表示画面とこの表示画面に画像を表示する発光機能とを備えた表示装置と、使用時に上記表示装置よりも手前側に位置するキーボードと、上記表示装置を制御する制御部とを具備する。上記制御部は、上記表示画面の全域にデスクトップ画面を表示する第１の表示モードと、上記表示画面の一部のみに上記デスクトップ画面を表示するとともに、上記表示画面の残りの部分を上記デスクトップ画面の内容如何に拘わらず一定の明るさで発光させる第２の表示モードとを上記表示装置に選択的に実現させる。
【０００９】
本発明の一つの形態に係るプログラムは、表示画面とこの表示画面に画像を表示する発光機能とを備えた表示装置と、使用時に上記表示装置よりも手前側に位置するキーボードとを備えたコンピュータに適用されるプログラムであって、上記表示画面の全域にデスクトップ画面を表示する第１の表示モードと、上記表示画面の一部のみに上記デスクトップ画面を表示するとともに、上記表示画面の残りの部分を上記デスクトップ画面の内容如何に拘わらず一定の明るさで発光させる第２の表示モードとを上記表示装置に選択的に実現させるように上記表示装置を制御する機能を上記コンピュータに実現させる。
【発明の効果】
【００１０】
本発明によれば、暗がりの中での操作性の向上を実現することができるとともに、汎用性が高い電子機器が得られる。
【発明を実施するための最良の形態】
【００１１】
以下に本発明の実施の形態を、ポータブルコンピュータに適用した図面に基づいて説明する。
【００１２】
（第１の実施形態）  
図１ないし図７は、本発明の第１の実施形態に係る電子機器としてのポータブルコンピュータ１を開示している。ポータブルコンピュータ１は、本発明でいうコンピュータの一例である。図１に示すように、ポータブルコンピュータ１は、電子機器本体である本体ユニット２と、表示ユニット３とを備えている。
【００１３】
図１に示すように、本体ユニット２は、第１の筐体４を有する。第１の筐体４は、矩形をした箱状に形成されている。第１の筐体４は、上壁４ａ、下壁４ｂ、および周壁４ｃを有する。第１の筐体４の内部には、図示しないメインボードが収容されている。
【００１４】
上壁４ａには、キーボード（ＫＢ）６、タッチパッド７、および複数のボタン８が設けられている。この複数のボタン８には、ポータブルコンピュータ１の電源ボタンであるパワーボタン８ａが含まれている。図１に示すように、キーボード６は、後述する表示装置１１よりも手前側に設けられている。ここで「手前側」とは、使用時にユーザーからみて表示装置１１よりも近くに位置する領域である。
【００１５】
図１に示すように、表示ユニット３は、本体ユニット２の後端部にヒンジ部１２を介して支持されている。そのため、表示ユニット３は、本体ユニット２の上壁４ａを上方から覆うように倒される閉じ位置と、上壁４ａを露出させるように起立する開き位置との間で回動可能である。図１は、表示ユニット３が開き位置にある状態を示す。ここで本明細書では、ポータブルコンピュータ１から見てユーザー側を「前」、ユーザーとは反対側を「後」と定義している。
【００１６】
図１に示すように、表示ユニット３は、第２の筐体１４と、この筐体１４に収容された表示装置１１とを備える。表示装置１１は、表示画面１１ａと、この表示画面１１ａに画像を表示する発光機能とを有する。第２の筐体１４は、使用時にユーザーに向かい合う前壁１４ａに、表示装置１１の表示画面１１ａを筐体１４の外部に露出させる開口部１５が設けられている。
【００１７】
表示画面１１ａは、四つの稜部１６，１７，１８，１９を有する矩形状に形成されている。図１に示すように、四つの稜部は、表示ユニット３が開き位置にある状態で、表示画面１１ａの下端部となる第１の稜部１６、表示画面１１ａの右端部となる第２の稜部１７、表示画面１１ａの左端部となる第３の稜部１８、および表示画面１１ａの上端部となる第４の稜部１９とを含む。
【００１８】
表示装置１１の具体例としては、例えば液晶ディスプレイ（Liquid Crystal Display ; LCD）や有機エレクトリックルミネセンスディスプレイ（有機ＥＬディスプレイ）などが挙げられる。例えば液晶ディスプレイの場合は、液晶パネルの背後に位置するバックライトが上記発光機能を担う。例えば有機ＥＬディスプレイの場合は、自発光する表示素子自体が上記発光機能を担う。なお本発明でいう表示装置は、上記例に限定されるものではない。
【００１９】
次に、図２を参照して、ポータブルコンピュータ１のシステム構成について説明する。  
図２に示すように、ポータブルコンピュータ１は、ＣＰＵ２１、システムコントローラハブ２２、主メモリ２３、ＧＰＵ２４、ビデオメモリ（ＶＲＡＭ）２５、Ｉ／Ｏハブ２６、ＢＩＯＳ−ＲＯＭ２７、ハードディスクドライブ（ＨＤＤ）２８、光ディスクドライブ（ＯＤＤ）２９、サウンドコントローラ３０、およびエンベデッドコントローラ／キーボードコントローラＩＣ（ＥＣ／ＫＢＣ）３１等を備えている。
【００２０】
ＣＰＵ２１は本コンピュータ１の動作を制御するために設けられたプロセッサであり、ＨＤＤ２８から主メモリ２３にロードされるオペレーティングシステム（ＯＳ）および各種アプリケーションプログラムを実行する。またＣＰＵ２１は、ＢＩＯＳ−ＲＯＭ２７に格納されたシステムＢＩＯＳ（Basic Input Output System）も実行する。システムＢＩＯＳはハードウェア制御のためのプログラムである。
【００２１】
システムコントローラハブ２２は、ＣＰＵ２１のローカルバスとＩ／Ｏハブ２６との間を接続するブリッジデバイスである。システムコントローラハブ２２には、主メモリ２３をアクセス制御するメモリコントローラも内蔵されている。また、システムコントローラハブ２２は、ＡＧＰ（Accelerated Graphics Port）バスなどを介してＧＰＵ２４との通信を実行する機能も有している。
【００２２】
ＧＰＵ（Graphic Processing Unit）２４は、本コンピュータ１の表示装置１１を制御する表示コントローラである。このＧＰＵ２４には、ビデオメモリ２５が接続されている。ＧＰＵ２４は、ＯＳや各種アプリケーションプログラムによってビデオメモリ２５に書き込まれた表示データから、表示装置１１に表示すべき表示イメージを形成する映像信号を生成する。ＧＰＵ２４によって生成された映像信号は、ライン３４を介して表示装置１１に出力される。
【００２３】
ここで上記表示イメージには、デスクトップ画面のイメージが含まれる。なお「デスクトップ画面」とは、操作画面とも呼ばれ、ファイルの操作やアプリケーションプログラムの起動などの作業の行う画面のことである。このデスクトップ画面には、例えばファイルやフォルダー、またはアイコンなどが表示される。
【００２４】
ＧＰＵ２４について詳しく述べると、図６に示すように、ＧＰＵ２４は、グラフィックスデータ処理回路３３を有する。グラフィックスデータ処理回路３３は、ＹＵＶ信号またはＲＧＢ信号で表示データ（すなわちグラフィックスデータ）を受け取るとともに、後述するＥＣ／ＫＢＣ３１の変更パラメータレジスタ３５からＧＰＵ用パラメータを受け取る。グラフィックスデータ処理回路３３は、上記ＧＰＵ用パラメータの値を用いて、受け取った表示データから映像信号を生成する。
【００２５】
図２に示すように、Ｉ／Ｏハブ２６は、ＬＰＣ（Low Pin Count）バス上の各デバイスを制御する。また、Ｉ／Ｏハブ２６は、ＨＤＤ２８、およびＯＤＤ２９を制御するためのＩＤＥ（Integrated Drive Electronics）コントローラを内蔵している。さらにＩ／Ｏハブ２６は、サウンドコントローラ３０を制御する。Ｉ／Ｏハブ２６は、ＢＩＯＳ−ＲＯＭ２７をアクセス制御するための機能も有している。
【００２６】
ＥＣ／ＫＢＣ３１は、電力管理のためのエンベデッドコントローラと、キーボード６およびタッチパッド７を制御するためのキーボードコントローラとが集積された１チップマイクロコンピュータである。このＥＣ／ＫＢＣ３１は、ユーザーによるパワーボタン８ａの操作に応じて本コンピュータ１をパワーオン／パワーオフする機能を有している。
【００２７】
さらに、ＥＣ／ＫＢＣ３１は、表示装置１１の発光機能の輝度を設定変更する機能、ＧＰＵ２４と通信を行う機能を有している。図６に示すように、ＥＣ／ＫＢＣ３１は、表示画面１１ａに関する変更パラメータが格納される変更パラメータレジスタ３５を有する。ＥＣ／ＫＢＣ３１は、変更パラメータレジスタ３５に格納されたパラメータをＧＰＵ２４に送る。
【００２８】
ここで本実施形態に係るポータブルコンピュータ１には、照明機能付加アプリケーションプログラム４１が組み込まれている。このアプリケーション４１は、主メモリ２３にロードされることで、以下の２つの表示モードを選択的に表示装置１１に実現させるようにＧＰＵ２４を制御する機能をポータブルコンピュータに与える。
【００２９】
つまり、上記アプリケーション４１がロードされた主メモリ２３は、下記２つの表示モードを表示装置１１に実現させるようにＧＰＵ２４を制御する狭義の制御部の一例として機能する。また見方を変えれば、上記アプリケーション４１がロードされた主メモリ２３、および表示コントローラであるＧＰＵ２４は、互いに協働することで、下記２つの表示モードを上記表示装置１１実現させるように上記表示装置１１を制御する広義の制御部の一例として機能する。
【００３０】
上記２つの表示モードとは、下記の通りである。  
（１）第１の表示モード：第１の表示モードは、いわゆる標準モードであり、照明機能がＯＦＦのモードである。第１の表示モードでは、表示画面１１ａの全域（いわゆるフル画面）にデスクトップ画面が表示される。
【００３１】
（２）第２の表示モード：第２の表示モードは、表示装置１１による照明機能がＯＮのモードである。第２の表示モードでは、表示画面１１ａの一部のみにデスクトップ画面が表示されるとともに、表示画面１１ａの残りの部分をデスクトップ画面の内容如何に拘わらず、一定の明るさで例えば白色に発光させる。
【００３２】
この第２の表示モードでは、図１に示すように、表示画面１１ａには、デスクトップ画面が表示される操作画面域５１と、デスクトップ画面の内容如何に拘わらず、常に一定の明るさで発光する照明領域５２（図１中ハッチング部分）とが表示画面１１ａに形成される。この照明領域５２は、表示画面１１ａの少なくとも一つの稜部に沿って配置される。
【００３３】
図１に示すように、本実施形態においては、互いに隣り合う二つの稜部１６，１７に沿って照明領域５２が形成される。このとき、操作画面域５１の縦横比は、表示画面１１ａのフル画面の縦横比と同じに設定される。そして、第２の表示モードの操作画面域５１には、第１の表示モードにおけるデスクトップ画面の縦横比（いわゆる画面比率）が維持されたまま、第１の表示モードに比べて縮小されたデスクトップ画面が表示される。
【００３４】
具体的には、第２の表示モードにおいては、第１の表示モードのデスクトップ画面を、その縦横比を維持したまま解像度を小さくする。例えば、第１の表示モードにおいて（１０２４×７６８）の解像度でデスクトップ画面を表示する場合、第２の表示モードにおいて（８００×６００）の解像度でデスクトップ画面を表示することで、４：３の縦横比を維持したままデスクトップ画面を縮小することができる。
【００３５】
図１に示すように、ポータブルコンピュータ１には、例えば照度センサー５５が設けられている。照度センサー５５は、例えばポータブルコンピュータ１の周り明るさが一定以下になるとその旨を検知するように設定されている。図３に示すように、照度センサー５５がポータブルコンピュータ１の周り明るさが十分であると検知すると、表示装置１１は第１の表示モードが適用される。一方、照度センサー５５がポータブルコンピュータ１の周り明るさが一定以下であると検知すると、表示装置１１は第２の表示モードが適用される。
【００３６】
また、照度センサー５５によらず、図４に示すように、アプリケーション４１を直接操作することで、第１および第２の表示モードを互いに切り替えてもよい。さらに例えばキーボード６のキーを操作することで、第１および第２の表示モードを互いに切り替えてもよい。
【００３７】
図５は、表示装置１１の表示モードを変更するためのインターフェイスの一例を示す。  
アプリケーション４１は、キー操作、アプリケーション４１の操作、または照度センサー５５による表示モード変更のイベントを検出し、中間モジュール６１に表示モード変更指示を通知する。この表示モード変更指示には、表示モード変更後のデスクトップ画面の解像度に関する指示、デスクトップ画面の表示位置に関する指示（すなわち操作画面域５１の形成位置に関する指示）、およびデスクトップ画面が表示される領域以外（すなわち照明領域５２）を一定の明るさに発光させることに関する指示が含まれる。
【００３８】
中間モジュール６１は、アプリケーション４１から表示モード変更指示の通知を受けると、ＨＣＩ（Hardware Configuration Interface）を介してシステムＢＩＯＳ６２の画面変更用ファンクションを呼び出し、デスクトップ画面の解像度のアップ又はダウンの指示、デスクトップ画面の表示位置に関する指示、および照明領域５２の発光に関する指示を通知する。
【００３９】
ＢＩＯＳ６２は、中間モジュール６１から解像度のアップ又はダウンの指示、デスクトップ画面の表示位置に関する指示、および照明領域５２の発光に関する指示を受けると、自身の画面変更用ファンクションによって、表示モードを変更した後の解像度、デスクトップ画面の表示位置、および照明領域５２の発光に対応するＧＰＵ用パラメータの値を導出する。
【００４０】
上記ＢＩＯＳ６２の画面変更用ファンクションは、ＧＰＵ用パラメータの値を導出すると、このパラメータの値を、ＥＣ／ＫＢＣ３１の中に予め設けられている変更パラメータレジスタ３５に設定（再設定）する。
【００４１】
ＥＣ／ＫＢＣ３１は、上記変更パラメータレジスタ３５に設定された値を、ＧＰＵ２４に送る。ＧＰＵ２４は、ＥＣ／ＫＢＣ３１から送られた変更後のパラメータを用いて、映像信号を生成するとともに、この映像信号を表示装置１１に出力する。これにより、変更後の表示モードに対応した画面が表示装置１１に表示される。
【００４２】
次に、図７を参照して、表示装置１１の表示モードを変更する操作があった場合の動作を説明する。
【００４３】
ユーザーがキー操作またはアプリ操作を行うか、照度センサー５５による検知が行われると、表示モードの変更イベントが発生する（ステップＳ１１）。
【００４４】
アプリケーション４１は、発生した表示モード変更イベントを検出すると、中間モジュール６１に表示モード変更指示（解像度の変更指示、デスクトップ画面の表示位置、およびデスクトップ画面を表示しない領域を発光させる旨の指示を含む）を通知する（ステップＳ１２）。
【００４５】
中間モジュール６１は、アプリケーション４１から表示モード変更指示の通知を受けると、ＨＣＩを介してシステムＢＩＯＳ６２の画面変更用ファンクションを呼び出し、解像度レベルのアップ又はダウンの指示、デスクトップ画面の表示位置に関する指示、および照明領域５２の発光に関する指示を通知する（ステップＳ１３）。
【００４６】
ＢＩＯＳ６２は、中間モジュール６１から解像度のアップ又はダウンの指示、デスクトップ画面の表示位置に関する指示、および照明領域５２の発光に関する指示の通知を受けると、自身の画面変更用ファンクションによって、表示モード変更後のＧＰＵ用パラメータを導出する。次いで、ＢＩＯＳ６２の画面変更用ファンクションは、導出したＧＰＵ用のパラメータの値を、ＥＣ／ＫＢＣ３１の中の変更パラメータレジスタ３５に設定（再設定）する（ステップＳ１４）。
【００４７】
ＥＣ／ＫＢＣ３１は、上記変更パラメータレジスタ３５に設定された値をＧＰＵ２４に送る。ＧＰＵ２４は、変更パラメータレジスタ３５に設定された補正パラメータを用いて映像信号を生成し、生成した映像信号を表示装置１１へと出力する（ステップＳ１５）。
【００４８】
次に、このポータブルコンピュータ１の作用を説明する。  
ポータブルコンピュータ１を十分に明るい場所で使用する場合は、ユーザーは、ポータブルコンピュータ１を第１の表示モードで使用することができる。この第１の表示モードにおいては、ポータブルコンピュータ１は、一般的なポータブルコンピュータと変わることなく、表示画面１１ａの全域にデスクトップ画面が表示されている。
【００４９】
一方、ポータブルコンピュータ１を暗がりの中で使用する場合は、ユーザーは、第１の表示モードから第２の表示モードへ表示モードを切り替え、ポータブルコンピュータ１の第２の表示モードで使用することができる。この第２の表示モードでは、表示画面１１ａの一部のみにデスクトップ画面を表示されるとともに、表示画面１１ａの残りの部分（すなわち照明領域５２）がデスクトップ画面の内容如何に拘わらず一定の明るさで発光される。
【００５０】
この照明領域５２の発する光の一部は、表示装置１１よりも手前側に位置するキーボード６を照らす。これによりユーザーは、暗がりの中でもキーボード６のキー位置やキーに印刷された文字などを認識することができる。すなわちキーボード６の視認性が良くなり、操作性が向上する。
【００５１】
このような構成の照明機能付加アプリケーションプログラム４１、またこのアプリケーション４１が組み込まれたポータブルコンピュータ１によれば、暗がりの中での操作性の向上を実現することができるとともに、汎用性が高い電子機器を得ることができる。
【００５２】
暗がりの中でも使用可能ポータブルコンピュータ１としては、例えばな表示装置の背面照明光を表示画面以外から取り出す開口部を設けることや、電子機器にＬＥＤなどからなるライトを取り付けることも考えられる。しかしながらこのような照明用の特別な構造は、電子機器が暗がりの中で使用されるときには有益に機能するものの、その機能を発揮せず、余計な構造となる。このような余計な構造は、表示ユニットの実装エリアを小さくし、また表示ユニット内のレイアウトの自由度を制限することもある。
【００５３】
一方、本実施形態に係るポータブルコンピュータ１は、表示画面１１ａの全域にデスクトップ画面を表示する第１の表示モードと、表示画面１１ａの一部のみにデスクトップ画面を表示するとともに、表示画面１１ａの残りの部分をデスクトップ画面の内容如何に拘わらず一定の明るさで発光させる第２の表示モードとを表示装置１１に選択的に実現することができる。
【００５４】
このようなポータブルコンピュータ１によれば、第２の表示モードを適用することで、キーボード６に対する照明を確保することができるとともに、照明用の特別な構造を設けなくて済む。そのため、ポータブルコンピュータ１は、十分な明るさが得られる場所で多く使用される一般的な電子機器としても汎用性は高いといえる。
【００５５】
また、本実施形態に係るポータブルコンピュータ１によれば、表示装置１１の一部を利用して照明機能を実現するため、例えばＬＥＤなどによるライトを別に設ける場合に比べて、消費電力が少なくて済む。
【００５６】
照明領域５２が表示画面１１ａの少なくとも一つの稜部に沿って形成されると、表示画面１１ａのなかで照明領域５２が邪魔になりにくく、第１の表示モードと比べても、デスクトップ画面上の操作性があまり損なわれない。
【００５７】
表示画面１１ａの互いに隣り合う二つの稜部に沿って照明領域５２を形成するとともに、第１の表示モードにおけるデスクトップ画面の縦横比を維持したまま、デスクトップ画面を縮小して第２の表示モードの操作画面域５１に表示すると、第１および第２の表示モードの間で表示モードを切り替えたとしても、ユーザーは違和感をあまり感じることなく、ポータブルコンピュータ１を使用することができる。
【００５８】
（第２の実施形態）  
次に、本発明の第２の実施形態に係る電子機器としてのポータブルコンピュータ１を、図８を参照して説明する。なお上記第１の実施形態の構成と同一または類似の機能を有する構成は、同一の符号を付してその説明を省略する。
【００５９】
ポータブルコンピュータ１は、本発明でいうコンピュータの一例であり、上記第１の実施形態と同じシステム構成を有する。ポータブルコンピュータ１には、照明機能付加アプリケーションプログラム４１が組み込まれている。このアプリケーション４１は、主メモリ２３にロードされることで、以下の２つの表示モードを表示装置１１に選択的に実現させるようにＧＰＵ２４を制御する機能をポータブルコンピュータに与える。
【００６０】
つまり、上記アプリケーション４１がロードされた主メモリ２３は、ＧＰＵ２４を制御する狭義の制御部の一例として機能し、第１および第２の表示モードといった２つの表示モードを表示装置１１に選択的に実現させる。
【００６１】
本実施形態では、第１の表示モードは、上記第１の実施形態と同じである。本実施形態では、第２の表示モードにおける照明領域５２の配置位置が第１の実施形態と異なる。図８に示すように、例えば第１ないし第３の稜部１６，１７，１８といった三つの稜部に沿って照明領域５２が形成される。
【００６２】
このとき、操作画面域５１の縦横比は、表示画面１１ａのフル画面の縦横比と同じに設定される。そして、第２の表示モードの操作画面域５１には、第１の表示モードにおけるデスクトップ画面の縦横比が維持されたまま、第１の表示モードに比べて縮小されたデスクトップ画面が表示される。なお、上記説明した以外のポータブルコンピュータ１の構成は上記第１の実施形態と同じである。
【００６３】
このような構成の照明機能付加アプリケーションプログラム４１、またこのアプリケーションプログラム４１が組み込まれたポータブルコンピュータ１によれば、上記第１の実施形態と同様に、暗がりの中での操作性の向上を実現することができるとともに、汎用性が高い電子機器を得ることができる。
【００６４】
表示画面１１ａの三つの稜部１６，１７，１８に沿って照明領域５２を形成するとともに、第１の表示モードにおけるデスクトップ画面の縦横比を維持したまま、デスクトップ画面を縮小して第２の表示モードの操作画面域５１に表示すると、第１および第２の表示モードの間で表示モードを切り替えたとしても、ユーザーは違和感をあまり感じることなく、ポータブルコンピュータ１を使用することができる。
【００６５】
（第３の実施形態）  
次に、本発明の第３の実施形態に係る電子機器としてのポータブルコンピュータ１を、図９を参照して説明する。なお上記第１の実施形態の構成と同一または類似の機能を有する構成は、同一の符号を付してその説明を省略する。
【００６６】
ポータブルコンピュータ１は、本発明でいうコンピュータの一例であり、上記第１の実施形態と同じシステム構成を有する。ポータブルコンピュータ１には、照明機能付加アプリケーションプログラム４１が組み込まれている。このアプリケーション４１は、主メモリ２３にロードされることで、以下の２つの表示モードを表示装置１１に選択的に実現させるようにＧＰＵ２４を制御する機能をポータブルコンピュータに与える。
【００６７】
つまり、上記アプリケーション４１がロードされた主メモリ２３は、ＧＰＵ２４を制御する狭義の制御部の一例として機能し、第１および第２の表示モードといった２つの表示モードを表示装置１１に選択的に実現させる。
【００６８】
本実施形態では、第１の表示モードは、上記第１の実施形態と同じである。本実施形態では、第２の表示モードにおける照明領域５２の配置位置が上記第１の実施形態と異なる。図９に示すように、例えば第１ないし第４の稜部１６，１７，１８，１９といった表示装置１１の全ての稜部に沿って照明領域５２が形成される。すなわち照明領域５２は、額縁状に形成される。
【００６９】
このとき、操作画面域５１の縦横比は、表示画面１１ａのフル画面の縦横比と同じに設定される。そして、第２の表示モードの操作画面域５１には、第１の表示モードにおけるデスクトップ画面の縦横比が維持されたまま第１の表示モードに比べて縮小されたデスクトップ画面が表示される。なお、上記説明した以外のポータブルコンピュータ１の構成は上記第１の実施形態と同じである。
【００７０】
このような構成の照明機能付加アプリケーションプログラム４１、またこのアプリケーションプログラム４１が組み込まれたポータブルコンピュータ１によれば、上記第１の実施形態と同様に、暗がりの中での操作性の向上を実現することができるとともに、汎用性が高い電子機器を得ることができる。
【００７１】
表示画面１１ａの四つの稜部１６，１７，１８，１９に沿って照明領域５２を形成するとともに、第１の表示モードにおけるデスクトップ画面の縦横比を維持したまま、デスクトップ画面を縮小して第２の表示モードの操作画面域５１に表示すると、第１および第２の表示モードの間で表示モードを切り替えたとしても、ユーザーは違和感をあまり感じることなく、ポータブルコンピュータ１を使用することができる。
【００７２】
（第４の実施形態）  
次に、本発明の第４の実施形態に係る電子機器としてのポータブルコンピュータ１を、図１０を参照して説明する。なお上記第１の実施形態の構成と同一または類似の機能を有する構成は、同一の符号を付してその説明を省略する。
【００７３】
ポータブルコンピュータ１は、本発明でいうコンピュータの一例であり、上記第１の実施形態と同じシステム構成を有する。ポータブルコンピュータ１には、照明機能付加アプリケーションプログラム４１が組み込まれている。このアプリケーション４１は、主メモリ２３にロードされることで、以下の２つの表示モードを表示装置１１に選択的に実現させるようにＧＰＵ２４を制御する機能をポータブルコンピュータに与える。
【００７４】
つまり、上記アプリケーション４１がロードされた主メモリ２３は、ＧＰＵ２４を制御する狭義の制御部の一例として機能し、下記第１および第２の表示モードといった２つの表示モードを表示装置１１に選択的に実現させる。
【００７５】
本実施形態では、第１の表示モードは、第１の実施形態と同じである。本実施形態では、第２の表示モードにおける照明領域５２の配置位置が上記第１の実施形態と異なる。図１０に示すように、例えばキーボード６に最も近い第１の稜部１６のみに沿って照明領域５２が形成される。
【００７６】
このとき、第２の表示モードの操作画面域５１には、第１の表示モードにおけるデスクトップ画面の縦横比が維持されることなく、デスクトップ画面が表示される。第２の表示モードのデスクトップ画面は、第１の表示モードのデスクトップ画面を上下方向にのみ縮小したものでもよく、第１の表示モードのデスクトップ画面の上端部または下端部を切り取ったものでもよい。なお、上記説明した以外のポータブルコンピュータ１の構成は上記第１の実施形態と同じである。
【００７７】
このような構成の照明機能付加アプリケーションプログラム４１、またこのアプリケーションプログラム４１が組み込まれたポータブルコンピュータ１によれば、上記第１の実施形態と同様に、暗がりの中での操作性の向上を実現することができるとともに、汎用性が高い電子機器を得ることができる。
【００７８】
表示画面の一つの稜部１６にのみ沿って照明領域５２が形成されると、照明領域５２がユーザーの目に入りにくく、ポータブルコンピュータ１を使用する上で照明領域５２がより一層邪魔になりにくい。キーボード６に最も近い稜部１６のみに沿って照明領域５２が形成されると、キーボード６の照明を確保することができるとともに、照明領域５２がより一層邪魔になりにくい。
【００７９】
以上、本発明の第１ないし第４の実施形態に係るポータブルコンピュータ１、および照明機能付加アプリケーションプログラム４１について説明したが、本発明はこれらに限定されるものではない。本発明は、その要旨を逸脱しない範囲で種々変形して用いることができる。
【００８０】
例えば、表示画面１１ａの一つの稜部のみに沿って照明領域５２を形成する場合、その照明領域は、第１ないし第４の稜部１６，１７，１８，１９のいずれに沿って形成されてもよい。表示画面１１ａの少なくとも互いに隣り合う二つの稜部に沿って照明領域５２を形成する場合、デスクトップ画面の縦横比は、第１および第２の表示モードの間で維持される必要は必ずしもない。照度センサー５５は、必須の構成ではなく、適宜省略してもよい。照度センサー５５の位置は、図中に示された位置に限定されるものではなく、適宜変更して配置することができる。
【図面の簡単な説明】
【００８１】
【図１】本発明の第１の実施形態に係るポータブルコンピュータの斜視図。
【図２】図１に示されたポータブルコンピュータのシステム構成の一例を示すブロック図。
【図３】図１中に示された照度センサーの働きを示すフローチャート。
【図４】本発明の第１の実施形態に係る照明機能付加アプリケーションの働きを示すフローチャート。
【図５】図１に示されたポータブルコンピュータの表示モードを変更するインターフェイスの一例を示す図。
【図６】図１に示されたポータブルコンピュータに設けられたＧＰＵの構成を示すブロック図。
【図７】図１に示されたポータブルコンピュータにおいて表示モード変更が実行される処理手順の一例を示すフローチャート。
【図８】本発明の第２の実施形態に係るポータブルコンピュータの斜視図。
【図９】本発明の第３の実施形態に係るポータブルコンピュータの斜視図。
【図１０】本発明の第４の実施形態に係るポータブルコンピュータの斜視図。
【符号の説明】
【００８２】
１…ポータブルコンピュータ、６…キーボード、１１…表示装置、１１ａ…表示画面、１６，１７，１８，１９…稜部、２３…メモリ、２４…ＧＰＵ、４１…照明機能付加アプリケーションプログラム、５１…操作画面域、５２…照明領域。
【図１】
2009157835.tif 000003
【図２】
2009157835.tif 000004
【図３】
2009157835.tif 000005
【図４】
2009157835.tif 000006
【図５】
2009157835.tif 000007
【図６】
2009157835.tif 000008
【図７】
2009157835.tif 000009
【図８】
2009157835.tif 000010
【図９】
2009157835.tif 000011
【図１０】
2009157835.tif 000012